(57)【要約】【課題】内部を流下中の被搬送物を特別に用意した道具を使わずに簡単に採取できる流下樋を得る。【解決手段】第１流下樋１０では、蓋部３６により試料採取口３４が閉塞された状態で、作業者が片方の手Ｈの指で蓋部３６の取っ手４０を引っ張り上げると、蓋部３６が開放位置へ回動される。このとき、試料採取部材４２の採取部４６が、採取位置を経由し、樋本体２２内を流下する籾Ｍの一部が採取部４６に掬われる。そして、蓋部３６が開放位置に達すると、採取部４６に採取された籾Ｍは、採取部４６の底壁４６Ａをつたって案内部４４側へ落下し、更に案内部４４の底壁４４Ａをつたって作業者の片方の手Ｈの手の平の上に落下する【選択図】図３
2007130529.tif 000002
【特許請求の範囲】
【請求項１】
内部に供給された被搬送物を流下させて搬送する樋本体と、
前記樋本体に取り付けられ、前記流下中の被搬送物を採取する採取位置と前記採取した被搬送物を前記樋本体の外側に退避させる退避位置との間で移動可能とされた試料採取部材と、
を備えた流下樋。
【請求項２】
前記樋本体には、試料採取口が設けられ、前記試料採取部材は、前記試料採取口を閉塞する閉塞位置と前記試料採取口を開放する開放位置との間で移動可能とされた蓋部を有すると共に、前記蓋部が前記閉塞位置から前記開放位置へ移動される際に前記採取位置を経由して前記退避位置へ移動されることを特徴とする請求項１記載の流下樋。
【請求項３】
前記試料採取部材は、前記蓋部が前記閉塞位置に位置する状態で前記流下中の被搬送物の通過部から離間して配置されると共に、前記採取位置に位置する状態で前記通過部に干渉することを特徴とする請求項２記載の流下樋。
【請求項４】
前記試料採取部材は、片手で移動操作可能とされると共に、前記採取位置を経由して前記退避位置へ移動された際に前記採取位置にて採取した被搬送物を前記片手の手の平へ案内する案内部を有することを特徴とする請求項１乃至請求項３の何れか１項記載の流下樋。
【発明の詳細な説明】
【技術分野】
【０００１】
本発明は、穀物等の被搬送物を流下させて搬送する流下樋に関する。
【背景技術】
【０００２】
例えば、共同乾燥貯蔵調整施設等においては、穀物を乾燥させる乾燥機、籾摺機、精米機等が設置されており、これらの装置間には穀物を流下させて搬送する流下樋が掛け渡されている（例えば、特許文献１参照）。このような流下樋には、開閉可能な試料採取口が設けられており、流下樋の内部を流下中の穀物を採取できるようになっている。これにより、前工程の機械で処理された穀物の状態を検査することができる。
【０００３】
ところで、試料採取口が流下樋の底板に設けられている場合には、試料採取口から落下する穀物を試料皿等で受け取ることが行われており、また、試料採取口が流下樋の天板に設けられている場合には、試料採取口から流下樋の内部へ試料コップ等を挿入して試料を掬い取ることが行われている。このように、上記何れの場合においても、試料皿や試料コップ等の道具を用いなければならず、試料の採取作業が面倒であった。
【特許文献１】特開２００３−２０００６８号公報
【発明の開示】
【発明が解決しようとする課題】
【０００４】
本発明は、上記事実を考慮し、内部を流下中の被搬送物を特別に用意した道具を使わずに簡単に採取できる流下樋を得ることを目的とする。
【課題を解決するための手段】
【０００５】
上記課題を解決するために、請求項１に係る発明の流下樋は、内部に供給された被搬送物を流下させて搬送する樋本体と、前記樋本体に取り付けられ、前記流下中の被搬送物を採取する採取位置及び前記採取した被搬送物を前記樋本体の外側に退避させる退避位置へ移動可能とされた試料採取部材と、を備えたことを特徴としている。
【０００６】
請求項１記載の流下樋では、樋本体に取り付けられた試料採取部材が採取位置へ移動されると、樋本体内を流下中の被搬送物が試料採取部材によって採取される。そして、試料採取部材が退避位置へ移動されると、試料採取部材によって採取された被搬送物（試料）が樋本体の外側に退避される。これにより、被搬送物の試料を特別に用意した道具を使わずに簡単に採取できる。
【０００７】
請求項２に係る発明の流下樋は、請求項１記載の流下樋において、前記樋本体には、試料採取口が設けられ、前記試料採取部材は、前記試料採取口を閉塞する閉塞位置と前記試料採取口を開放する開放位置との間で移動可能とされた蓋部を有すると共に、前記蓋部が前記閉塞位置から前記開放位置へ移動される際に前記採取位置を経由して前記退避位置へ移動されることを特徴としている。
【０００８】
請求項２記載の流下樋では、樋本体の試料採取口を閉塞する蓋部が開放位置へ移動されると、蓋部に取り付けられた試料採取部材が採取位置経由で退避位置へ移動される。ここで、試料採取部材が採取位置を経由する際には、試料採取部材によって被搬送物が採取されると共に、試料採取部材が退避位置へ移動されることで採取された被搬送物が樋本体の外側に退避される。
【０００９】
請求項３に係る発明の流下樋は、請求項２記載の流下樋において、前記試料採取部材は、前記蓋部が前記閉塞位置に位置する状態で前記流下中の被搬送物の通過部から離間して配置されると共に、前記採取位置に位置する状態で前記通過部に干渉することを特徴としている。
【００１０】
請求項３記載の流下樋では、蓋部が閉塞位置に位置する状態では、試料採取部材は、樋本体内を流下中の被搬送物の通過部から離間して配置されており、試料採取部材が被搬送物の流下を妨げることがない。また、試料採取部材が採取位置に位置する状態では、試料採取部材が被搬送物の通過部に干渉し、これにより、試料採取部材によって被搬送物が採取される。
【００１１】
請求項４に係る発明の流下樋は、請求項１乃至請求項３の何れか１項記載の流下樋において、前記試料採取部材は、片手で移動操作可能とされると共に、前記採取位置を経由して前記退避位置へ移動された際に前記採取位置にて採取した被搬送物を前記片手の手の平へ案内する案内部を有することを特徴としている。
【００１２】
請求項４記載の流下樋では、例えば、作業者が片方の手で試料採取部材を採取位置経由で退避位置へ移動させると、採取位置において試料採取部材により採取された被搬送物が試料採取部材の案内部によって手の平に案内される。このように、請求項４記載の流下樋では、片手で簡単に被搬送物の試料を採取できる。
【発明の効果】
【００１３】
以上説明したように、本発明の流下樋によれば、内部を流下中の被搬送物を特別に用意した道具を使わずに簡単に採取できる。
【発明を実施するための最良の形態】
【００１４】
図１には、本発明の実施の形態に係る流下樋としての第１流下樋１０及び第２流下樋１２が適用されて構成された穀物調整システム１４の概略的な構成が正面図により示されている。
【００１５】
穀物調整システム１４は、被搬送物としての穀物（本実施の形態では籾Ｍ、図３及び図４参照）を乾燥する乾燥機１６と、乾燥された籾Ｍを籾摺りして玄米Ｇ（図３及び図４参照）にする籾摺機１８と、玄米Ｇを精米して白米にする精米機２０とを備えている。なお、乾燥機１６には、該乾燥機１６の内部へ籾Ｍを供給するための図示しない張込みホッパが設けられている。
【００１６】
乾燥機１６と籾摺機１８との間には、第１流下樋１０が設けられており、籾摺機１８と精米機２０との間には、第２流下樋１２が設けられている。図２に示すように、第１流下樋１０は、天板２４、底板２６、及び一対の側板２８、３０を有する断面矩形の長尺な筒状に形成された樋本体２２を備えている。また、第２流下樋１２も、第１流下樋１０と基本的に同様の構成とされており、樋本体２２と同様構成の樋本体３２を備えている。
【００１７】
第１流下樋１０の樋本体２２は、長手方向一端部が乾燥機１６に設けられた図示しない昇降機の上端部に接続されており、乾燥機１６によって乾燥された籾Ｍは、図示しない昇降機によって乾燥機１６の上部へ持ち上げ搬送された後に、樋本体２２の長手方向一端部から樋本体２２の内部に供給される。
【００１８】
一方、樋本体２２の長手方向他端部は、籾摺機１８の下端部に設けられた図示しない籾摺ホッパに接続されており、樋本体２２すなわち第１流下樋１０は、乾燥機１６側に配置された長手方向一端側が高く、籾摺機１８側に配置された長手方向他端側が低くなるように斜めに配置されている。このため、樋本体２２の長手方向一端部から樋本体２２の内部に供給された籾Ｍは、樋本体２２の底板２６上面をつたって自然流下して樋本体２２の長手方向他端側へ搬送され、籾摺機１８の籾摺ホッパ内へ供給される。籾摺りホッパ内に供給された籾Ｍは、籾摺機１８によって脱ぷ処理（所謂籾摺り）されて玄米Ｇになる。
【００１９】
籾摺機１８によって脱ぷ処理された玄米Ｇは、籾摺機１８内に設けられた図示しない遠心分離部によって籾殻等の異物を取り除かれた後、籾摺機１８に設けられた図示しない昇降機によって籾摺機１８の上部へ持ち上げ搬送される。
【００２０】
籾摺機１８の昇降機の上端部には、第２流下樋１２の樋本体３２の長手方向一端部が接続されており、籾摺機１８の上部へ持ち上げ搬送された玄米Ｇは、樋本体３２の長手方向一端部から樋本体３２の内部に供給される。
【００２１】
樋本体３２の長手方向他端部は、精米機２０の下端部に設けられた図示しない精米ホッパに接続されており、樋本体３２すなわち第２流下樋１２は、籾摺機１８側に配置された長手方向一端側が高く、精米機２０側に配置された長手方向他端側が低くなるように斜めに配置されている。このため、樋本体３２の長手方向一端部から樋本体３２の内部に供給された玄米Ｇは、樋本体３２の底板２６上面をつたって自然流下して樋本体３２の長手方向他端側へ搬送され、精米機２０の精米ホッパ内へ供給される。精米ホッパ内に供給された玄米Ｇは、精米処理されて白米になる。
【００２２】
ここで、本実施の形態に係る第１流下樋１０は、図３に示すように、樋本体２２の天板２４に形成された矩形の試料採取口３４を有しており、この試料採取口３４は、矩形板状に形成されて試料採取部材を構成する蓋部３６（図２参照）によって閉塞される構成となっている。蓋部３６は、試料採取口３４の下端縁部に取り付けられたヒンジ３８を介して樋本体２２に対し回動可能に取り付けられている。この蓋部３６は、試料採取口３４を閉塞する閉塞位置（図２に示す位置）と試料採取口３４を開放する開放位置（図３に示す位置）との間で移動可能とされている。
【００２３】
また、蓋部３６は、ヒンジ３８と反対側の端部が略く字状に屈曲されており、取っ手４０が形成されている。この取っ手４０は、蓋部３６が閉塞位置に位置する状態では、樋本体２２と反対側へ突出している。これにより、例えば、蓋部３６が閉塞位置に位置する状態で、作業者が片方の手Ｈの指で取っ手４０を引っ張り上げると、蓋部３６が開放位置へ回動され、試料採取口３４が開放される構成となっている。
【００２４】
さらに、蓋部３６の裏面（蓋部３６が閉塞位置に位置する状態で試料採取口３４に対向する面）には、試料採取部材を構成する本体部４２が取り付けられている。本体部４２は、底壁４４Ａと一対の側壁４４Ｂとを有し断面コ字形に形成された案内部４４を備えている。案内部４４は、一対の側壁４４Ｂが第１流下樋１０の一対の側壁４４Ｂと平行に配置されかつ蓋部３６と反対側へ突出した状態で底壁４４Ａが蓋部３６の裏面に固定されている。
【００２５】
案内部４４の一端部は、ヒンジ３８の近傍に配置されており、この案内部４４の一端部には、採取部４６の基端部が接続されている。採取部４６は、底壁４４Ａに連続する底壁４６Ａと、一対の側壁４４Ｂに連続する一対の側壁４６Ｂとを有し断面コ字形に形成されている。また、採取部４６は、案内部４４に対して斜めに接続されており、本体部４２は、側面視で略く字状に形成されている。
【００２６】
この本体部４２は、図４に示すように、蓋部３６が閉塞位置に位置する状態では、第１流下樋１０の樋本体２２内の格納位置に配置されている。この状態では、採取部４６の先端部が天板２４と底板２６との間の中央部に配置されており、樋本体２２内を長手方向他端側（矢印Ａ方向側）へ流下する籾Ｍの通過部４８（図４乃至図６では底板２６と１点鎖線との間の部分）に採取部４６が干渉しないようになっている。
【００２７】
また、蓋部３６が閉塞位置に位置する状態で、例えば、作業者が片方の手Ｈの指で取っ手４０を引っ張り上げると、前述した如く蓋部３６が開放位置へ向けて回動される（図５の矢印Ｂ参照）。このとき、本体部４２の採取部４６は、採取位置（図５に示す位置）を経由するようになっている。このように採取部４６が採取位置を経由する際には、採取部４６の先端部が籾Ｍの通過部４８に干渉し、樋本体２２内を流下する籾Ｍの一部が採取部４６に掬われるようになっている。
【００２８】
そして、蓋部３６が開放位置に達すると、本体部４２は退避位置（図６に示す位置）に配置される。このとき、採取部４６に採取された籾Ｍは、樋本体２２の外側へ退避されると共に、採取部４６の底壁４６Ａをつたって案内部４４側へ落下し、更に案内部４４の底壁４４Ａをつたって作業者の片方の手Ｈの手の平の上に落下するようになっている（図６の矢印Ｃ参照）。
【００２９】
なお、第２流下樋１２の樋本体３２にも、上述の如き試料採取口３４、蓋部３６、本体部４２が設けられている。したがって、樋本体３２に取り付けられた蓋部３６を、例えば作業者が片方の手Ｈで閉塞位置から開放位置へ回動させると、樋本体３２内を流下する玄米Ｇの一部が本体部４２によって掬われると共に、前記掬われた玄米Ｇが作業者の片方の手Ｈの手の平に落下するようになっている。
【００３０】
次に、本実施の形態の作用について説明する。
【００３１】
上記構成の穀物調整システム１４では、乾燥機１６、籾摺機１８、及び精米機２０が作動された状態で、乾燥機１６に設けられた図示しない張込みホッパに籾Ｍが張り込まれる。なお、このように各機械が作動される際には、第１流下樋１０の蓋部３６及び第２流下樋１２の蓋部３６は閉塞位置に配置されており、本体部４２は図４に示す格納位置に配置されている。
【００３２】
張込みホッパに張り込まれた籾Ｍは、乾燥機１６によって乾燥処理を施された後、乾燥機１６に設けられた図示しない昇降機によって乾燥機１６の上部へ搬送され、第１流下樋１０の樋本体２２の長手方向一端部から樋本体２２の内部に供給される。樋本体２２の内部に供給された籾Ｍは、樋本体２２の底板２６上面をつたって自然流下し、樋本体２２の長手方向他端側へ搬送されて籾摺機１８の籾摺ホッパ内に供給される。
【００３３】
籾摺ホッパ内に供給された籾Ｍは、籾摺機１８によって脱ぷ処理されて玄米Ｇになり、籾摺機１８の図示しない遠心分離部によって異物を取り除かれた後に、籾摺機１８の図示しない昇降機によって籾摺機１８の上部へ搬送され、第２流下樋１２の樋本体３２の長手方向一端部から樋本体３２の内部に供給される。
【００３４】
樋本体３２の内部に供給された玄米Ｇは、樋本体３２の底板２６上面をつたって自然流下し、樋本体３２の長手方向他端側へ搬送されて精米機２０の精米ホッパ内に張り込まれる。精米ホッパ内に張り込まれた玄米Ｇは、精米機２０によって精米処理を施されて白米になる。
【００３５】
ここで、本実施の形態に係る穀物調整システム１４では、乾燥機１６で乾燥処理された籾Ｍの状態を検査するために、第１流下樋１０の樋本体２２内を流下する籾Ｍを採取する場合には、第１流下樋１０の蓋部３６を閉塞位置から開放位置へ回動させればよい。すなわち、例えば、作業者が片方の手Ｈの指で第１流下樋１０の蓋部３６の取っ手４０を引っ張り上げると、蓋部３６が開放位置へ回動される。このとき、本体部４２の採取部４６が、採取位置（図５に示す位置）を経由し、樋本体２２内を流下する籾Ｍの通過部４８に干渉する。これにより、樋本体２２内を流下する籾Ｍの一部が採取部４６に掬われる。そして、蓋部３６が開放位置に達すると、採取部４６に採取された籾Ｍは、採取部４６の底壁４６Ａをつたって案内部４４側へ落下し、更に案内部４４の底壁４４Ａをつたって作業者の片方の手Ｈの手の平の上に落下する（図６の矢印Ｃ参照）。
【００３６】
また、籾摺機１８で脱ぷ処理された玄米Ｇの状態を検査するために、第２流下樋１２の樋本体３２内を流下する玄米Ｇを採取する場合にも同様に、作業者が片方Ｈの手の指で第２流下樋１２の蓋部３６の取っ手４０を引っ張り上げて蓋部３６を開放位置へ回動させると、樋本体３２内を流下する玄米Ｇの一部が本体部４２により掬われて作業者の片方の手Ｈの手の平の上に落下する。
【００３７】
このように、本実施の形態に係る第１流下樋１０及び第２流下樋１２では、乾燥機１６によって乾燥処理された籾Ｍの試料、又は籾摺機１８によって脱ぷ処理された玄米Ｇの試料を、試料皿や試料コップ等の道具を使わずに容易かつ迅速に採取できる。
【００３８】
ところで、従来の流下樋においては、片方の手で試料採取口の蓋部を移動させると共に、他方の手に持った試料皿や試料コップを用いて試料を採取していたため、両手を使う必要があった。この点、本実施の形態に係る第１流下樋１０及び第２流下樋１２では、上述の如く片方の手Ｈで蓋部３６を回動させるだけで、籾Ｍ（又は玄米Ｇ）の試料が片方の手Ｈの手の平に落下するので、両手を使う必要がない。したがって、作業者は、試料採取時に他方の手で第１流下樋１０（又は第２流下樋１２）等につかまることができるので、試料採取時の姿勢のバランスを良好に保つことができる。
【００３９】
また、本実施の形態に係る第１流下樋１０及び第２流下樋１２では、蓋部３６が閉塞位置に位置する状態（図４図示状態）では、本体部４２の採取部４６は、籾Ｍ又は玄米Ｇの通過部４８から離間して配置されているので、採取部４６が籾Ｍ又は玄米Ｇの流下を妨げることがない。
【００４０】
さらに、本実施の形態に係る第１流下樋１０及び第２流下樋１２では、試料採取口３４、蓋部３６、及び本体部４２が樋本体２２、３２の天板２４に設けられているため、試料採取口３４、蓋部３６、及び本体部４２が底板２６に設けられている場合に比べて、蓋部３６及び本体部４２の取付状態が安定すると共に、試料採取時の作業者の姿勢も安定する。
【００４１】
なお、上記実施の形態に係る第１流下樋１０及び第２流下樋１２では、本体部４２が蓋部３６に取り付けられた構成としたが、これに限らず、蓋部３６を省略すると共に、本体部４２を試料採取口３４に対応して直接樋本体２２、３２に回動可能に取り付ける構成としてもよい。
【００４２】
また、上記実施の形態に係る第１流下樋１０及び第２流下樋１２では、本体部４２が蓋部３６及びヒンジ３８によって樋本体２２、３２に対し回動可能に取り付けられることで採取位置及び退避位置へ移動される構成としたが、これに限らず、本体部４２が樋本体２２、３２に対しスライド可能に取り付けられることで採取位置及び退避位置へ移動される構成としてもよい。
【００４３】
さらに、上記実施の形態に係る第１流下樋１０及び第２流下樋１２では、本体部４２が蓋部３６を介して樋本体２２、３２の天板２４に取り付けられた構成としたが、これに限らず、本体部４２が樋本体２２、３２の一対の側板２８、３０の何れかに取り付けられた構成としてもよい。
【００４４】
またさらに、上記実施の形態に係る第１流下樋１０及び第２流下樋１２では、樋本体２２、３２を閉断面構造としたが、これに限らず、樋本体２２、３２は、天板２４の全部又は一部が省略されて上面が開放された構造であってもよい。
【図面の簡単な説明】
【００４５】
【図１】本発明の実施の形態に係る第１流下樋及び第２流下樋が適用されて構成された穀物調整システムの概略的な構成を示す正面図である。
【図２】本発明の実施の形態に係る第１流下樋及び第２流下樋の部分的な構成を示し、蓋部が閉塞位置に位置する状態を示す斜視図である。
【図３】本発明の実施の形態に係る第１流下樋及び第２流下樋の部分的な構成を示し、蓋部が開放位置に位置する状態を示す斜視図である。
【図４】本発明の実施の形態に係る第１流下樋及び第２流下樋の部分的な構成を示し、試料採取部材が格納位置に位置する状態を示す断面図である。
【図５】本発明の実施の形態に係る第１流下樋及び第２流下樋の部分的な構成を示し、試料採取部材が採取位置に位置する状態を示す断面図である。
【図６】本発明の実施の形態に係る第１流下樋及び第２流下樋の部分的な構成を示し、試料採取部材が退避位置に位置する状態を示す断面図である。
【符号の説明】
【００４６】
１０      第１流下樋
１２      第２流下樋
１４      穀物調整システム
２２      樋本体
３２      樋本体
３４      試料採取口
３６      蓋部（試料採取部材）
４２      本体部（試料採取部材）
４４      案内部
４６      採取部
Ｍ        籾（被搬送物）
Ｇ        玄米（被搬送物）
Ｈ        手
【図１】
2007130529.tif 000003
【図２】
2007130529.tif 000004
【図３】
2007130529.tif 000005
【図４】
2007130529.tif 000006
【図５】
2007130529.tif 000007
【図６】
2007130529.tif 000008